(57)【要約】【課題】  液晶表示装置の画面全面に透明樹脂板を経年劣化の影響を受けることなく、長期に亘って保持する。【解決手段】    液晶テレビジョン受像機２の画面４を被うことが可能な大きさのアクリル板６の複数の適所に固定具１０が設けられ、これらが画面４の縁に取り付けられる。固定具１０は、前記適所においてアクリル板６の背後に設けた磁石製の結合体１０を、画面４の縁に取り付ける。この結合体１０からアクリル板６をボルト１４が貫通して、先端がアクリル板６の正面側に位置する。このボルト１４の先端側に螺合した袋ナット２２が、アクリル板６をボルト１４に固定する。【選択図】        図１
2007017498.tif 000002
【特許請求の範囲】
【請求項１】
液晶表示装置の画面を被うことが可能な大きさの矩形透明樹脂板と、
この樹脂板の複数の適所にそれぞれ設けられ、前記画面の縁に取り付けられる複数の固定具とを、
具備し、前記各固定具は、
前記適所において前記樹脂板の背後に設けられ、前記画面の縁に取り付けられる磁石製の結合体と、
この結合体から前記樹脂板を貫通して、先端が前記樹脂板の正面側に位置するボルトと、
このボルトの先端側に螺合して、前記樹脂板を前記ボルトに固定するナットとを、
具備する液晶表示装置の画面保護装置。
【請求項２】
請求項１記載の液晶表示装置の画面保護装置において、前記樹脂板の背後で前記ボルトに螺合して、前記樹脂板及び前記結合体それぞれに接触している別のナットを、有する液晶表示装置の画面保護装置。
【請求項３】
請求項２記載の液晶表示装置の画面保護装置において、前記ナットと前記樹脂板の正面とに、及び前記別のナットと前記樹脂板の背面とに、それぞれ接触した状態で、前記ボルトに挿通されている樹脂板保護体を有する液晶表示装置の画面保護装置。
【請求項４】
液晶表示装置の画面を被うことが可能な大きさの矩形透明樹脂板と、
この樹脂板の複数の適所にそれぞれ設けられ、前記画面の縁に取り付けられる複数の固定具とを、
具備し、前記各固定具は、
前記樹脂板の複数の適所において前記樹脂板の正面及び背面の縁を挟持する挟持体に、板状体を前記樹脂板の背面側に位置するように設けた取付け部と、
前記板状体をそれの長さ方向に沿って摺動させて内部に収容する保持部と、
前記取付け部と前記保持部とを係合させるように前記取付け部と前記保持部との間に設けられた係合手段と、
前記保持部の背面側に設けられ、前記液晶表示装置の画面の縁に取り付けられる磁石性の結合体とを、
具備する液晶表示装置の画面保護装置。
【請求項５】
請求項４記載の液晶表示装置の画面保護装置において、前記保持部は、前記結合体に取り付けられた主壁と、この主壁と平行にかつ間隔を隔てて位置する副壁と、前記主壁における前記副壁に対向する面に取り付けられ、前記副壁との間に隙間を形成するベースとを、具備し、
前記板状体は、前記ベースと前記副壁との間の隙間を摺動し、
前記係合手段は、前記板状体の前記ベース側の面に形成した係合爪と、前記ベースの前記板状体側の面に形成した係合孔とを、具備する
液晶表示装置の画面保護装置。
【発明の詳細な説明】
【技術分野】
【０００１】
本発明は、例えば液晶テレビジョン受像機のような液晶表示装置の液晶画面を保護する装置に関する。
【背景技術】
【０００２】
近年、液晶表示装置、例えば液晶テレビジョン受像機が一般家庭に普及してきた。液晶テレビジョン受像機の液晶画面を子供等が強く押すと、液晶画面が破損することがある。この液晶画面の破損の修理のコストは高く、特に大画面のものでは、高価である。そこで、液晶表示画面を保護することが考えられる。液晶画面の全面に保護フィルタを設ける技術が特許文献１に開示されている。
【０００３】
この特許文献１の技術では、液晶画面の縁の複数の箇所にゴム等の弾性を有するスペーサを貼り付け、これらスペーサ上に保護フィルタを貼り付けている。
【０００４】
【特許文献１】特開２００４−３２６０２０号公報
【発明の開示】
【発明が解決しようとする課題】
【０００５】
しかし、この特許文献１の技術では、スペーサによって保護フィルタを固定しているので、経年劣化によって保護フィルタがスペーサから外れる恐れがある。
【０００６】
この発明は、経年劣化によって外れることがない保護装置を提供することを目的とする。
【課題を解決するための手段】
【０００７】
本発明の一態様による液晶表示装置の画面保護装置は、液晶表示装置の画面を被うことが可能な大きさの矩形透明樹脂板を有している。この樹脂板としては、例えばアクリル樹脂板を使用することが可能である。この樹脂板の複数の適所に複数の固定具が設けられ、前記画面の縁に取り付けられる。複数の固定具は、少なくとも樹脂板の４隅に設けることが望ましい。各固定具では、前記適所において前記樹脂板の背後に磁石製の結合体が設けられている。この結合体が、画面の縁に磁力によって取り付けられる。この結合体から前記樹脂板をボルトが貫通して、このボルトの先端が前記樹脂板の正面側に位置する。このボルトの先端側にナットが螺合して、前記樹脂板を前記ボルトに固定する。なお、液晶表示装置の表示画面の縁に磁石が吸着する例えば高磁性体、例えば金属の部分があれば、それに結合体を吸着させることができるし、高磁性体が存在しなければ、高磁性体を予め取り付けることが望ましい。
【０００８】
このように構成すると、各固定具を樹脂板の適所に配置して、各固定具の結合体から伸びる各ボルトを樹脂板に挿通し、ボルトにナットを螺合させて、各結合体を樹脂板に固定する。このようにして樹脂板に取り付けられた結合体を液晶表示装置の画面の縁に取り付ける。従って、結合体を磁力によって液晶表示装置の縁に取り付けるという簡単な作業だけで、樹脂板を液晶表示装置の画面の前面に取り付けることができるし、経年劣化によって樹脂板が外れることもない。また、適切な磁力を持つ磁石を選択することによって、強固に樹脂板を固定することができる。
【０００９】
前記樹脂板の背後で前記ボルトに螺合して、前記樹脂板及び前記結合体それぞれに接触している別のナットを設けることができる。このように別のナットを設けることによって、樹脂板と液晶表示装置の画面との間に隙間を形成することができ、液晶画面の表面から放熱を促進することができる。
【００１０】
さらに、ナットと前記樹脂板の正面とに、及び前記別のナットと前記樹脂板の背面とに、それぞれ接触した状態で、樹脂板保護体をボルトに挿通することもできる。樹脂版保護体としては、例えば樹脂板の正面及び背面に接触するフェルトを使用することができる。このように構成することによって、ボルトとナットとによって樹脂板を結合体に結合していても、樹脂板を損傷することはない。
【００１１】
本発明の他の態様による液晶表示装置の保護装置は、上記の態様と同様に、透明樹脂板と複数の固定具とを、有している。ただし、各固定具は、前記樹脂板の複数の適所において前記樹脂板の正面及び背面の縁を挟持する挟持体に、板状体を前記樹脂板の背面側に位置するように設けた取付け部と、前記板状体をそれの長さ方向に沿って摺動させて内部に収容する保持部とを、有している。前記取付け部と前記保持部とを係合させるように前記取付け部と前記保持部との間に係合手段が設けられている。この係合手段は、板状体が所定長さだけ保持部内に収容されたとき、自動的に前記取付け部と前記保持部とを係合させるように構成することが望ましい。前記保持部の背面側に結合体が設けられ、この結合体が前記液晶表示装置の画面の縁に取り付けられる。
【００１２】
このように構成すると、各取付け部の挟持体で樹脂板の適所をそれぞれ挟持し、取付け部の板状体を保持部に摺動させて収容し、係合手段によって固定する。このように各取付け部を介して樹脂板に取り付けられた保持部を持つ結合体を、液晶表示装置の画面の縁に磁力によって取り付けることで、樹脂板を液晶表表示装置の全面に取り付けることができる。従って、経年劣化によって樹脂板が外れることもないし、結合体の液晶表装置の表示画面の縁への取付けが容易に行え、かつ、適切な磁力を持つ磁石を選択することによって、強固に樹脂板を固定することができる。
【００１３】
前記保持部は、前記結合体に取り付けられた主壁と、この主壁と平行にかつ間隔を隔てて位置する副壁と、前記主壁の前記副壁に面する面に取り付けられ、前記副壁との間に隙間を形成するベースとを、具備している。前記板状体は、前記ベースと前記副壁との間の隙間を摺動する。前記係合手段は、前記板状体の前記ベース側の面に形成した係合爪と、前記ベースの前記板状体側の面に形成した係合孔とを、具備している。板状体は、係合爪は、レバー状に形成された部材の先端に形成することが望ましく、この部材の中途が板状体に結合され、この部材が適切に撓むように板状体と部材と係合爪とは、合成樹脂によって一体に形成することが望ましい。これによって、板状体を摺動させていくと、係合爪が係合孔に引っかかり、さらに板状体を摺動させると、係合爪が係合孔を乗り越えるように部材が撓み、乗り越えると、係合爪が係合孔に係合する。なお、この係合を解放する場合には、係合爪が係合孔から離れるようにレバー状部材を撓ませればよい。
【００１４】
このように構成することによって、樹脂板にボルトを挿通するための孔を形成しなくても、樹脂板に結合体を取り付けることができる。なお、ベースに、それの長さ方向に沿って中途まで溝を形成し、この溝に板状体に設けた突起を嵌めて、保持部から取付け部が離脱することを防止することもできる。或いは、副壁を、主壁の両側に対応する位置から中央に向けて主壁に対向して伸ばし、副壁の先端同士の間に空隙を形成し、樹脂板の背面側において、副壁と板状部との面が一致するように、板状部の両側をくぼませ、主壁と副壁との間隔を狭めることもできる。
【発明の効果】
【００１５】
以上のように、本発明によれば、磁力によって樹脂板を液晶表示装置の画面の縁に固定しているので、経年劣化によって樹脂板が外れることなく、長期にわたって液晶表示装置の画面を保護することができる。
【発明を実施するための最良の形態】
【００１６】
本発明の第１の実施形態の保護装置は、図３に示すような液晶表示装置、例えば液晶テレビジョン受像機２の液晶画面４の前面に、一点鎖線で示す矩形の透明樹脂板、例えばアクリル板６を取り付けるためのものである。アクリル板６は、液晶画面４とその周囲のフレーム８とを被うことができる大きさに形成されている。このアクリル板６の適所、例えば４隅及び両長辺の中央に、それぞれ固定具１０が取り付けられ、これら固定具１０によってフレーム８にアクリル板６が取り付けられている。
【００１７】
固定具１０は、図１に示すように、結合体１２を有している。この結合体１２は、例えばフレーム８の幅寸法よりも幾分小さい直径の円板状に形成された磁石である。この結合体１２の背面側からボルト１４が挿通され、その先端が結合体１２の正面側から突出している。なお、ボルト１４の頭部は結合体１２の背面に埋没している。
【００１８】
ボルト１４には、結合体１２の正面側に接触するようにナット１６が螺合されている。このナット１６の正面側に接触するように樹脂板保護体１８がボルト１４に挿通されている。この樹脂板保護体１８では、ナット１６に接触する側にワッシャ１８ａが配置され、これにフェルト材１８ｂが貼り付けられている。これらワッシャ１８ａ及びフェルト材１８ｂは同じ直径である。
【００１９】
フェルト材１８ｂよりも先端側のボルト１４にアクリル板６が挿通され、アクリル板６にフェルト材１８ｂが接触している。アクリル板６へのボルト１４の挿通位置は、アクリル板６の外縁よりも幾分内側である。樹脂板保護体１８と同様にワッシャ２０ａとフェルト材２０ｂとからなる樹脂板保護体２０がアクリル板６よりも先端側にあるボルト１４に挿通されている。樹脂板保護体２０においても、フェルト材２０ｂがアクリル板６に接触するように樹脂板保護体２０がボルト１４に挿通されている。樹脂板保護体２０よりも先端側にあるボルト１４に袋ナット２２が螺合して、アクリル板６をナット１６に凹圧している。このとき樹脂板保護体１８、２０のフェルト材１８ｂ、２０ｂがアクリル板６に接触しているので、袋ナット２２によって押圧しても、アクリル板６に傷がつくことはない。なお、ナット１６は場合によっては除去することもできるが、結合体１２とアクリル板６との間に所定の間隔をあけることが望ましい場合に、ナット１６を設ける。なお、各固定具１０が配置されている位置に対応するアクリル板６の縁には、その正面及び背面を挟むようにカバー２４が設けられている。これらカバー２４のうち、図２に示すようにアクリル板６の４隅に配置されているものは、アクリル板６の隅を被うような鉤状に形成されている。アクリル板６の長辺の中央に配置されるカバー２４は直線状のものである。
【００２０】
液晶テレビジョン受像機２のフレーム８の４隅及び長辺の中央にそれぞれ対応する位置には、着磁プレート、例えば高磁性体の板状体、例えば金属板２６が貼り付けられている。これら金属板２６に結合体１０を磁力によって吸着させて、アクリル板６は、液晶画面４の全面に取り付けられる。なお、液晶テレビジョン受像機２のフレーム８の内部に金属部分がある場合には、金属板２６は不要である。
【００２１】
このように構成した保護装置では、予め結合体１０のボルト１４にアクリル板６、保護体１８、２０、袋ナット２２及びカバー２４を取り付けた状態で、金属板２６と共に出荷し、液晶テレビジョン受像機２のフレーム８の４隅及び長辺中央に金属板２６を貼り付け、これら金属板２６上に結合体１０を吸着させることによって取付けが完了する。磁力によって取り付けているので、経年劣化が生じにくく、長期にわたって使用することが可能である。また、磁力によって取り付けているので、アクリル板６の位置の調整も容易に行える。また、アクリル板６をスペーサを介してフレーム８に貼り付けた場合には、アクリル板６と液晶画面４との間の隙間が小さく、液晶画面４の表面から良好に放熱することができないが、結合体１０にアクリル板６を取付け、この結合体１０をフレーム８に取り付けているので、アクリル板６と液晶画面４との間に隙間を形成することができ、放熱を良好に行える。この実施形態では、ナット１４を設けているので、更に隙間を大きくすることができ、さらに良好に放熱することができる。また、スペーサによって取り付けた場合、アクリル板６の重量を全てスペーサが負担することになり、大型画面の液晶表示装置では、充分にアクリル板６を保持することができないが、磁力によってアクリル板６を保持するので、結合体１０の磁石に適切な磁力を持つものを選択すれば、大型のアクリル板６であっても、充分に保持することができる。
【００２２】
上記の実施の形態では、袋ナット２２を使用したが、通常のナットを使用することもできる。また、場合によっては保護体１８、２０のいずれか一方または両方を除去することもできる。
【００２３】
本発明の第２の実施形態の保護装置も、第１の実施形態の保護装置に関連して示した図３に示されているのと同様に、アクリル板６と固定具１００とを有している。これら固定具１００の設置位置は、図３の固定具１０の設置位置と同様にアクリル板６の四隅と両長辺の中央である。
【００２４】
固定具１００も、第１の実施形態の固定具１０と同様に磁石を内蔵した円板状の結合体１２０を有している。この結合体１２０の正面側に保持部１２２が設けられている。
【００２５】
この保持部１２２は、案内部材１２４を有し、案内部材１２４は、結合体１２０の正面にボルト１２６によって固定された矩形の主壁１２８を有している。この主壁１２８の長さ寸法は、結合体１２０の直径よりも大きく、結合体１２０は、主壁１２８の一方の端部側に寄った位置に固定されている。この主壁１２８と所定の間隔をおいて、主壁１２８と平行に副壁１３０ａ、１３０ｂが配置されている。副壁１３０ａ、１３０ｂは、図４に示すように、主壁１２８の中央部に対応する位置に間隔をあけて同一面上に位置する。その長さ寸法は、主壁１２８とほぼ同一である。副壁１３０ａは側壁１３２ａによって、副壁１３０ｂは側壁１３２ｂによって、主壁１２８の両側縁に結合されている。即ち、案内部材１２４は、その縦断面形状が角張ったＣの字を横倒させた形状に形成されている。
【００２６】
副壁１３０ａ、１３０ｂと対向している主壁１２８の面に、ベース１３４が配置されている。ベース１３４は、主壁１２８と副壁１３０ａ、１３０ｂとの間に収まる長さ寸法と幅寸法とを有し、このベース１３４の正面、すなわち副壁１３０ａ、１３０ｂと対向している面は、副壁１３０ａ、１３０ｂとの間に、空隙を有している。即ち、主壁１２８と副壁１３０ａ、１３０ｂ間の間隔よりも短い奥行き寸法をベース１３４は持っている。このベース１３４には、ボルト１２６が挿通され、さらにベース１３４は螺子１３６によって主壁１２８に固定されている。
【００２７】
このベース１３４の正面中央には、溝１３８が形成されている。この溝１３８は、結合体１２０が取り付けられている一端部とは反対側の他端部から、一端部側に向かって中途まで形成され、副壁１３０ａ、１３０ｂ側を向いて開口している。この溝１３８の一端部側の端部には、図３に示すように、ベース１３４と副壁１３０ａ、１３０ｂとの間の空隙に突出して壁１４０が形成され、その他端部側には、ベース１３４側を向いた爪１４２が形成され、この爪１４２から溝１３８の端部までの間に係合孔１４４が形成されている。
【００２８】
一方、アクリル板６の４隅及び長辺の中央位置には、それぞれアクリル板６の正面及び背面を挟む挟持体１４６が設けられている。長辺の中央部の挟持体１４６は、図５に示すように概略直線状に形成されている。この挟持体１４６の背面側の部分と一体に、アクリル板５の中心側に向かって直線状に板状体１４８が形成されている。この板状体１４８の長さ寸法は、主壁１２８の長さ寸法にほぼ等しくされ、幅寸法は、図６（ａ）、（ｂ）に示すように、挟持体１４６の幅寸法よりも短い。挟持体１４６のほぼ中央に板状体１４８は位置している。この板状体１４６の厚さ寸法は、その中央部で、副壁１３０ａ、１３０ｂの正面とベース１３４の正面との間隔に等しく形成されている。
【００２９】
この板状体１４８の背面中央には、図６（ａ）、（ｂ）に示すように、その長さ方向に沿って溝１５０が形成されている。この溝１５０は、その内部を上述した壁１４０が通過することができるように、深さが選択されている。板状体１４８が、ベース１３４と副壁１３０ａ、１３０ｂの間に完全に収容された状態で、係合孔１４４に係合可能な係合爪１５２が、溝１５０の中途に形成されている。この係合爪１５２は、レバー状部材１５４の一端に形成され、このレバー状部材の中途が溝１５０の溝底に結合されている。従って、レバー状部材１５４の他端を手でアクリル板６側に押さえることによって、係合爪１５２は、破線で示すように溝１５０内に入っている状態から溝１５０から外部に出た状態になる。手での押さえを解除したとき、破線で示す状態に戻るように、挟持体１４６、板状体１４８、レバー状部材１５４、係合爪１５２は、合成樹脂によって一体成型されている。係合孔１４４及び係合爪１５２が係合手段を構成している。
【００３０】
板状体１４８の正面の両側は、図５に示すように副壁１３０ａ、１３０ｂの幅寸法と同じ幅に亘って、副壁１３０ａ、１３０ｂの厚さだけ薄くされた段部１５６ａ、１５６ｂが形成されている。また、この段部１５６ａ、１５６ｂに対応する背面における、挟持体１４６と反対側の端部には、小突起１５８ａ、１５８ｂが形成されている。この小突起１５８ａ、１５８ｂが通るように、ベース１３４の正面側には、一端部から挟持体１４６側に向かって中途まで小溝１６０ａ、１６０ｂが形成されている。そして、この小溝１６０ａ、１６０ｂに小突起１５８ａ、１５８ｂが挿入された状態で、板状体１４８は、副壁１３０ａ、１３０ｂとベース１３４との間に配置されている。
【００３１】
このとき、板状体１４８の溝１５０従って、図３では、板状体１３４及び挟持体１４６が、案内部材１２４及びベース１３４から分離可能なように描いたが、実際には、分離されることは無く、小溝１６０ａ、１６０ｂに沿って板状体１３４及び挟持体１４６は、案内部材１２４内に板状体１３８が完全に収容された状態と、案内部材１２４内に板状体１３８の一部が残っている状態との間で進退する。そして、案内部材１２４内に板状体１３８の一部が残っている状態から、案内部材１２４内に板状体１３８が完全に収容された状態に板状体１３４及び挟持体１４６を移送させる途中で、壁１４０の係合爪１４２を乗り越えるように係合爪１５２が撓んで、案内部材１２４内に板状体１３８が完全に収容された状態では、係合爪１５２が係合孔１４４に係合し、板状体１３４及び挟持体１４６の移動が拘束される（図７参照）。
【００３２】
このようにして、アクリル板６を挟持している各挟持体１４６を、それぞれ対応する保持部１２２に結合した後、第1の実施の形態と同様に、液晶テレビジョン受像機２のフレーム８に設けた金属板２６に結合体１２０を吸着させることによってアクリル板６を液晶表画面４の全面に固定する。上述したように板状体１３８の正面に段部１５６a、１５６ｂを設けてあるので、この固定状態において、アクリル板６の背面は、同一平面上にある副壁１３０a、１３０ｂと、板状体１３４の中央部とに接触しており、アクリル板６の背面側に微妙な隙間が形成されることを防止している。
【００３３】
なお、アクリル板６の４隅に設けられる固定具１００では、図８に示すように、挟持体１４６は、アクリル板６の角の正面及び背面を挟持するように角型とする。また、板状体１３４は、この角型の挟持体１４６の頂点を通り、挟持体１４６の各辺に対して４５度の角度をなす直線上に、その中心が位置するように配置され、これに伴い保持部１２２もその中心が上記直線上に位置するように配置されている。
【００３４】
なお、保持部１２２に固定したアクリル板６を、例えばその表面の汚れを取るために保持部１２２から外す場合には、レバー状部材１５４の一端をアクリル板６の方向に倒して、係合爪１５２を係合孔１４６から解放して、結合体１２０と反対方向にアクリル板６を摺動させればよい。清掃後、アクリル板６を再び取り付ける場合、例えば、表示画面４の下側の２つの隅及び下方の長辺の中途の保持部１２２に、各板状体１３４を上側から嵌め、その後にアクリル板６の中央を幾分正面側に撓ませて、上側の２つの隅と上側長辺の中央にある保持部１２２に板状体１３４を嵌める。
【００３５】
この保護装置によっても、磁力によってアクリル板６を液晶表画面４の周囲のフレームに固定しているので、経年劣化が生じにくく、長期にわたって使用することが可能であるし、アクリル板６の位置の調整も容易に行える。しかも、アクリル板６を容易に外せるので、清掃等が容易に行える。
【００３６】
第２の実施の形態では、係合孔１４６に係合爪１４２を設けたが、係合爪１５２が係合可能な部分を係合孔１４６が持っていればよく、かならずしも係合爪１４２を設ける必要はない。また、保持部１２２から板状体１３４が完全に抜けることがないように、小突起１５８a、１５８ｂ、溝１６０a、１６０ｂを設けたが、板状体１３４が保持部１２２から抜けてもよい場合には、これらを除去することができる。さらに、板状体１３４の正面に段部１５６a、１５６ｂを形成して、アクリル板６と副壁１３０a、１３０ｂと板状体１３４の正面中央との間に隙間が形成されることを防止したが、場合によっては、段部１５６a、１５６ｂを設けなくてもよい。
【００３７】
上記の両実施形態では、保護装置を液晶テレビジョン受像機に実施したが、他の液晶表示装置、例えばパーソナルコンピュータのモニター用の液晶表示装置に実施することもできる。また、上記の両実施形態では、透明樹脂板としてアクリル板を使用したが、これに限ったものではなく、透明である程度の合成のある樹脂板であれば、種々のものを使用することができる。上記の両実施形態では、固定具１０、１００は、アクリル板６の４隅及び長辺の中央に設けたが、これらの位置に必ずしも設ける必要は無く、例えばアクリル板の両長辺それぞれの複数箇所及び両短辺それぞれの少なくとも１箇所に設けることもできる。
【図面の簡単な説明】
【００３８】
【図１】本発明の第１の実施形態の保護装置を液晶表示装置に取り付ける状態を示す部分省略縦断側面図である。
【図２】図１の液晶表示装置の隅部の部分省略正面図である。
【図３】図１の液晶表示装置の正面図である。
【図４】本発明の第２の実施形態の保護装置を液晶表示装置に取り付ける状態を示す部分省略縦断側面図である。
【図５】図４の保護装置を分解した状態の正面図である。
【図６】図４の保護装置の取付け部の平面図及び背面図である。
【図７】図４の保護装置の取付け部を保持部に取り付けた状態の縦断側面図である。
【図８】図４の液晶表示装置の隅部の部分省略正面図である。
【符号の説明】
【００３９】
２  液晶テレビジョン受像機（液晶表示装置）
４  液晶表示画面
６  アクリル板（透明樹脂板）
１０  固定具
１２  結合体
１４  ボルト
２２  袋ナット（ナット）
【図１】
2007017498.tif 000003
【図２】
2007017498.tif 000004
【図３】
2007017498.tif 000005
【図４】
2007017498.tif 000006
【図５】
2007017498.tif 000007
【図６】
2007017498.tif 000008
【図７】
2007017498.tif 000009
【図８】
2007017498.tif 000010